(57)【要約】  【課題】電子マニフェスト（電子Ｍ）は排出、収集運搬、処分３社の加入が条件でＰＣが難しい会社は参加が難しく、かつ、産廃の情報処理は１案件複数廃棄物が多いが、電子M・ＥＤＩ版接続仕様は１番号１廃棄物が原則で処理が複雑で上記２件が電子化のネックになっている。  【解決手段】電子Ｍ登録・報告代行業者（ＡＳＰ）加入者が産廃の各過程において本発明の登録票に必要事項を記入し該票の（ブ）の□に自社のコードが記載されている加入者は該票の（ア）の□に自社のコードを記入しＦＡＸにより該票をＡＳＰに送信、ＡＳＰが受信した画像情報をコンピュータデータに変換し（登録票に複数廃棄物記載の場合は、請求項２により対応）該データを電子M・ＥＤＩ版接続仕様により通信ネットワークを介して電子Ｍへの加入者の登録・報告を代行し、その結果を代行して受領、受領データを画像情報に変換してその結果を加入各社ＦＡＸに送信するように構成する。  【選択図】図 ４
2007034622.tif 000002
【特許請求の範囲】
【請求項１】
（財）日本産業廃棄物処理振興センターの電子マニフェスト（以下電子Ｍという）コンピュータと電子Ｍ登録・報告代行業者（以下ＡＳＰという）コンピュータが通信ネットワーク（以下ＮＷという）を介して電子Ｍ・ＥＤＩ版接続仕様により接続されるコンピュ−タＮＷを構築し、電子Ｍ、ＡＳＰ双方の加入者である排出事業者、収集運搬業者、処分業者の各ＦＡＸがＡＳＰにＮＷを介して接続されるＦＡＸ通信網を構築（図４）し、ＡＳＰ加入者が産廃の排出、収集、運搬、処分の各過程において電子Ｍ産廃処理依頼ＦＡＸ／ＯＣＲ登録票（以下登録票という）（図 ２）に必要事項を記入、記入した該登録票の送信担当ブロック（ブロックは以下Ｂという、詳細は図１）（ブ）の□に自社の担当コード（排出事業者は１、収集運搬業者は２、処分業者は３）が記載されているＡＳＰ加入者は該登録票の本票を送信する送信会社コード（ア）の□に自社の担当コード（排出事業者は１、収集運搬業者は２、処分業者は３）を記入して、ＦＡＸにより該登録票をＦＡＸ通信網を介してＡＳＰコンピュータに送信、ＡＳＰコンピュータが受信した画像情報をコンピュータデータに変換し、変換した該データを利用して電子Ｍ・ＥＤＩ版接続仕様によりＮＷを介して電子Ｍコンピュータへの加入者の登録・報告を代行して行い、電子Ｍコンピュータから電子Ｍ・ＥＤＩ版接続仕様によりＮＷを介して登録・報告の結果を代行して受領、受領したコンピュータデータを画像情報に変換して登録・報告の結果をＦＡＸ通信網を介してＡＳＰ加入各社ＦＡＸに送信する、加入者のＦＡＸ送信データを利用したＡＳＰコンピュータによる電子マニフェスト登録・報告代行、結果確認システムにおいて
ＡＳＰコンピュータが行う業務について
加入者ＦＡＸから送信されてきた登録票の受信データ（画像情報）がＦＡＸ／ＯＣＲ読み取り技法によりコンピュータデータに変換され、該登録票のデータの本票を送信する送信会社コード（ア）の□の送信会社コードと送信担当Ｂ（ブ）の□の送信担当Ｂコードが一致した送信担当Ｂデータが、画像情報から変換された該登録票のデータの中から選択され、選択されなかった送信担当Ｂデータが該登録票のデータから削除（第２Ｂが選択されなかった場合は廃棄物分類コードは削除しない）され、選択され、削除された該登録票のデータが記憶保存される登録票データ記憶保存手段と
前記手段により記憶保存された該登録票(以下該登録票（Ａ）という)のデータの産廃伝票番号（バ）と該登録票（Ａ）のデータの廃棄物分類コード（チ）の１つ目のデータとが連結され産廃伝票番号・廃棄物分類コード番号（ＮＯ）が生成され、電子マニフェストＦＡＸ／ＯＣＲ廃棄物処理情報管理項目票（図１）フォーマット（以下項目票Ｆという）１の１．産廃伝票番号・廃棄物分類コード番号に該番号（ＮＯ）が埋め込まれ記憶保存される項目票Ｆ１生成記憶保存手段と
該登録票（Ａ）のデータの産廃引渡年月日（イ）が項目票Ｆの（６）産廃引渡年月日に、排出事業者ＡＳＰ加入者番号（ウ）が該項目票Ｆの（１−１）排出事業者ＡＳＰ加入者番号に、収集運搬業者ＡＳＰ加入者番号（エ）が該項目票Ｆの（３−１）収集運搬業者ＡＳＰ加入者番号に、処分業者ＡＳＰ加入者番号（オ）が該項目票Ｆの（４−１）処分業者ＡＳＰ加入者番号に、排出事業場番号（カ）が該項目票Ｆの（１−２）排出事業場番号に、排出担当者コード（キ）が該項目票Ｆの（７）排出担当者に、数量の確定者（ク）に記憶保存されているコードが該項目票Ｆの（２）数量の確定者に、中間処理産業廃棄物（ケ）に１が記憶保存されている場合は（１次排出事業者はこの欄は使用せず、２次排出事業者（中間処理業者）は□に帳簿記載のとおりの１を記入し、本システムにおいては当欄記載のとおりの０は記入しない）該項目票Ｆの（１−３）中間処理産業廃棄物に１が記憶保存され、最終処分事業場については全てのデータについて、該項目票Ｆの（５）最終処分事業場に１（委託契約書記載のとおり）が記憶保存される排出データ記憶保存手段と
登録票データ記憶保存手段によりＢ１、Ｂ２が選択され、Ｂ３、Ｂ４が削除された該登録票（Ａ）のデータについては、
項目票Ｆ１生成記憶保存手段により項目票Ｆ１が生成され、記憶保存され、該項目票Ｆ１に排出データ記憶保存手段により該登録票（Ａ）の排出データが記憶保存され、該登録票（Ａ）のデータの廃棄物分類コード（チ）の１つ目のデータが該項目票Ｆ１の（８−１）廃棄物分類コードに埋め込まれ、該登録票（Ａ）のデータの廃棄物の引渡し数量（ツ）の１つ目のデータが該項目票Ｆ１の（９）引渡し数量に埋め込まれ、該登録票（Ａ）のデータの廃棄物の引渡し単位（ト）が該項目票Ｆ１の（１０）引渡し単位に埋め込まれ、該登録票（Ａ）のデータの荷姿（テ）が該項目票Ｆ１の（１１）荷姿に埋め込まれ、1つ目の廃棄物分類コードに関する第１Ｂ、第２Ｂの電子Ｍ・ＦＡＸ／ＯＣＲ廃棄物処理情報管理項目票Ｆ１（Ｂ１・２）が生成され記憶保存される項目票Ｆ１（Ｂ１・２）記憶保存手段と
該登録票（Ａ）のデータの運搬担当者コード（コ）が項目票Ｆの（１２）運搬担当者に、運搬終了年月日（サ）が該項目票Ｆの（１３）運搬終了年月日に記憶保存される運搬データ記憶保存手段と
該登録票（Ａ）のデータの、廃棄物の運搬数量（ナ）の１つ目のデータが項目票Ｆの（１４）運搬数量に埋め込まれ、運搬単位（ニ）が該項目票Ｆの（１５）運搬単位に埋め込まれ、記憶保存される運搬数量データ記憶保存手段と
登録票データ記憶保存手段によりＢ１、Ｂ２、Ｂ３が選択されＢ４が削除された該登録票（Ａ）のデータについては、
項目票Ｆ１（Ｂ１・２）記憶保存手段の手順に従って新しい項目票Ｆ１が生成され、記憶保存され、該項目票Ｆ１に該手段のそれぞれの手順により1つ目の廃棄物分類コードに関する第１Ｂ、第２Ｂの廃棄物処理情報が埋め込まれ、記憶保存され、続いて該項目票Ｆ１に、運搬データ記憶保存手段により運搬データが記憶保存され、運搬数量データ記憶保存手段により運搬数量データが記憶保存され、1つ目の廃棄物分類コードに関する第1Ｂ、第２Ｂ、第３Ｂの電子Ｍ・ＦＡＸ／ＯＣＲ廃棄物処理情報管理項目票Ｆ１（Ｂ１・２・３）が生成され記憶保存される項目票Ｆ１（Ｂ１・２・３）記憶保存手段と
該登録票（Ａ）のデータの処分／受領担当者コード（シ）が項目票Ｆの（１６）処分／受領担当者に、処分／受領年月日（ス）が該項目票Ｆの（１７）処分／受領年月日に記憶保存される処分／受領データ記憶保存手段と
該登録票（Ａ）のデータの処分／処分担当者コード（セ）が項目票Ｆの（１８）処分／処分担当者に、処分／終了年月日（ソ）が該項目票Ｆの（１９）処分／終了年月日に記憶保存される処分／処分データ記憶保存手段と
該登録票（Ａ）のデータの、廃棄物の受入数量（ヌ）の１つ目のデータが項目票Ｆの（２０）受入数量に埋め込まれ、受入単位（ネ）が該項目票Ｆの（２１）受入単位に埋め込まれ、該登録票（Ａ）のデータの処分業者の区分（タ）に記憶保存されているコードが該項目票Ｆの（２２）中間処分か最終処分の区分に記憶保存される処分受入データ記憶保存手段と
登録票データ記憶保存手段によりＢ１、Ｂ２、Ｂ３、Ｂ４が選択された該登録票（Ａ）のデータについては、
項目票Ｆ１（Ｂ１・２・３）記憶保存手段の手順に従って新しい項目票Ｆ１が生成され、記憶保存され、該項目票Ｆ１に該手段のそれぞれの手順により1つ目の廃棄物分類コードに関する第１Ｂ、第２Ｂ、第３Ｂの廃棄物処理情報が埋め込まれ、記憶保存され、続いて該項目票Ｆ１に、処分／受領データ記憶保存手段により処分／受領データが記憶保存され、処分／処分データ記憶保存手段により処分／処分データが記憶保存され、処分受入データ記憶保存手段によりにより処分受入データが記憶保存され、1つ目の廃棄物分類コードに関する第1Ｂ、第２Ｂ、第３Ｂ、第４Ｂの電子Ｍ・ＦＡＸ／ＯＣＲ廃棄物処理情報管理項目票Ｆ１（Ｂ１・２・３・４）が生成され記憶保存される項目票Ｆ１（Ｂ１・２・３・４）記憶保存手段と
登録票データ記憶保存手段によりＢ１、Ｂ２、Ｂ４が選択されＢ３が削除された該登録票（Ａ）のデータについては、
項目票Ｆ１（Ｂ１・２）記憶保存手段の手順に従って新しい項目票Ｆ１が生成され、記憶保存され、該項目票Ｆ１に該手段のそれぞれの手順により1つ目の廃棄物分類コードに関する第１Ｂ、第２Ｂの廃棄物処理情報が埋め込まれ、記憶保存され、続いて該項目票Ｆ１に、処分／受領データ記憶保存手段により処分／受領データが記憶保存され、処分／処分データ記憶保存手段により処分／処分データが記憶保存され、処分受入データ記憶保存手段によりにより処分受入データが記憶保存され、1つ目の廃棄物分類コードに関する第1Ｂ、第２Ｂ、第４Ｂの電子Ｍ・ＦＡＸ／ＯＣＲ廃棄物処理情報管理項目票Ｆ１（Ｂ１・２・４）が生成され記憶保存される項目票Ｆ１（Ｂ１・２・４）記憶保存手段と
登録票データ記憶保存手段によりＢ３が選択されＢ１、Ｂ２、Ｂ４が削除された該登録票（Ａ）のデータについては、
項目票Ｆ１生成記憶保存手段により項目票Ｆ１が生成され、記憶保存され、該項目票Ｆ１に運搬データ記憶保存手段により運搬データが記憶保存され、運搬数量データ記憶保存手段により運搬数量データが記憶保存され、1つ目の廃棄物分類コードに関する第３Ｂの電子Ｍ・ＦＡＸ／ＯＣＲ廃棄物処理情報管理項目票Ｆ１（Ｂ３）が生成され記憶保存される項目票Ｆ１（Ｂ３）記憶保存手段と
登録票データ記憶保存手段によりＢ３、Ｂ４が選択されＢ１、Ｂ２が削除された該登録票（Ａ）のデータについては、
項目票Ｆ１生成記憶保存手段により項目票Ｆ１が生成され、記憶保存され、該項目票Ｆ１に運搬データ記憶保存手段により運搬データが記憶保存され、運搬数量データ記憶保存手段により運搬数量データが記憶保存され、処分／受領データ記憶保存手段により処分／受領データが記憶保存され、処分／処分データ記憶保存手段により処分／処分データが記憶保存され、処分受入データ記憶保存手段によりにより処分受入データが記憶保存され、1つ目の廃棄物分類コードに関する第３Ｂ、第４Ｂの電子Ｍ・ＦＡＸ／ＯＣＲ廃棄物処理情報管理項目票Ｆ１（Ｂ３・４）が生成され記憶保存される項目票Ｆ１（Ｂ３・４）記憶保存手段と
登録票データ記憶保存手段によりＢ４が選択されＢ１、Ｂ２、Ｂ３が削除された該登録票（Ａ）のデータについては、
項目票Ｆ１生成記憶保存手段により項目票Ｆ１が生成され、記憶保存され、該項目票Ｆ１に処分／受領データ記憶保存手段により処分／受領データが記憶保存され、処分／処分データ記憶保存手段により処分／処分データが記憶保存され、処分受入データ記憶保存手段によりにより処分受入データが記憶保存され、1つ目の廃棄物分類コードに関する第４Ｂの電子Ｍ・ＦＡＸ／ＯＣＲ廃棄物処理情報管理項目票Ｆ１（Ｂ４）が生成され記憶保存される項目票Ｆ１（Ｂ４）記憶保存手段とを備える 
ことを特徴とする加入者のＦＡＸ送信データを利用したＡＳＰコンピュータによる電子マニフェスト登録・報告代行、結果確認システム。
【請求項２】
電子Ｍ・ＥＤＩ版接続仕様は１データ１廃棄物品目登録が条件であるが、１枚の伝票に複数の廃棄物品目が記載されている登録票の電子Ｍ・ＥＤＩ版接続仕様登録に対応すべく、
ＡＳＰコンピュータが行う業務について
該登録票（Ａ）のデータのＮ番目の廃棄物については、該登録票（Ａ）のデータの産廃伝票番号（バ）と該登録票（Ａ）のデータの廃棄物分類コード（チ）のＮ番目のデータとが連結され産廃伝票番号・廃棄物分類コード番号（ＮＯ−Ｎ）が生成され、該番号（ＮＯ−Ｎ）が、新しい項目票Ｆの１．産廃伝票番号・廃棄物分類コード番号に埋め込まれ、項目票ＦＮが生成され、記憶保存される項目票ＦＮ生成記憶保存手段と
項目票Ｆ１（Ｂ１・２）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに排出データ記憶保存手段により該登録票（Ａ）のデータの排出データが記憶保存された後、続いて、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の引渡し数量（ツ）のＮ番目のデータが該項目票ＦＮの（９）引渡し数量に埋め込まれ、該登録票（Ａ）のデータの廃棄物の引渡し単位（ト）が該項目票ＦＮの（１０）引渡し単位に埋め込まれ、該登録票（Ａ）のデータの荷姿（テ）が該項目票ＦＮの（１１）荷姿に埋め込まれ、Ｎ番目の廃棄物分類コードに関する第１Ｂ、第２Ｂの電子Ｍ・ＦＡＸ／ＯＣＲ廃棄物処理情報管理項目票ＦＮ（Ｂ１・２）が生成され、記憶保存されるＮ番目の廃棄物の項目票ＦＮ（Ｂ１・２）記憶保存手段と
項目票Ｆ１（Ｂ１・２・３）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに排出データ記憶保存手段により該登録票（Ａ）のデータの排出データが記憶保存された後、運搬データ記憶保存手段により該登録票（Ａ）のデータの運搬データが記憶保存され続いて、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の引渡し数量（ツ）のＮ番目のデータが該項目票ＦＮの（９）引渡し数量に埋め込まれ、該登録票（Ａ）のデータの廃棄物の引渡し単位（ト）が該項目票ＦＮの（１０）引渡し単位に埋め込まれ、該登録票（Ａ）のデータの荷姿（テ）が該項目票ＦＮの（１１）荷姿に埋め込まれ、該登録票（Ａ）のデータの廃棄物の運搬数量（ナ）のＮ番目のデータが該項目票ＦＮの（１４）運搬数量に埋め込まれ、該登録票（Ａ）のデータの運搬単位（ニ）が該項目票ＦＮの（１５）運搬単位に埋め込まれ、Ｎ番目の廃棄物分類コードに関する第１Ｂ、第２Ｂ、第３Ｂの電子Ｍ・ＦＡＸ／ＯＣＲ廃棄物処理情報管理項目票ＦＮ（Ｂ１・２・３）が生成され、記憶保存されるＮ番目の廃棄物の項目票ＦＮ（Ｂ１・２・３）記憶保存手段と
項目票Ｆ１（Ｂ１・２・３・４）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに排出データ記憶保存手段により該登録票（Ａ）のデータの排出データが記憶保存され、運搬データ記憶保存手段により該登録票（Ａ）のデータの運搬データが記憶保存され、処分／受領データ記憶保存手段により該登録票（Ａ）のデータの処分／受領データが記憶保存され、処分／処分データ記憶保存手段により該登録票（Ａ）のデータの処分／処分データが記憶保存され、続いて、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の引渡し数量（ツ）のＮ番目のデータが該項目票ＦＮの（９）引渡し数量に埋め込まれ、該登録票（Ａ）のデータの廃棄物の引渡し単位（ト）が該項目票ＦＮの（１０）引渡し単位に埋め込まれ、該登録票（Ａ）のデータの荷姿（テ）が該項目票ＦＮの（１１）荷姿に埋め込まれ、該登録票（Ａ）のデータの廃棄物の運搬数量（ナ）のＮ番目のデータが該項目票ＦＮの（１４）運搬数量に埋め込まれ、該登録票（Ａ）のデータの運搬単位（ニ）が該項目票ＦＮの（１５）運搬単位に埋め込まれ、該登録票（Ａ）のデータの廃棄物の受入数量（ヌ）のＮ番目のデータが該項目票ＦＮの（２０）受入数量に埋め込まれ、該登録票（Ａ）のデータの受入単位（ネ）が該項目票ＦＮの（２１）受入単位に埋め込まれ、該登録票（Ａ）のデータの処分業者の区分（タ）に記憶保存されているコードが該項目票ＦＮの（２２）中間処分か最終処分の区分に記憶保存され、Ｎ番目の廃棄物分類コードに関する第１Ｂ、第２Ｂ、第３Ｂ、第４Ｂの電子Ｍ・ＦＡＸ／ＯＣＲ廃棄物処理情報管理項目票ＦＮ（Ｂ１・２・３・４）が生成され、記憶保存されるＮ番目の廃棄物の項目票ＦＮ（Ｂ１・２・３・４）記憶保存手段と
項目票Ｆ１（Ｂ１・２・４）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに排出データ記憶保存手段により該登録票（Ａ）のデータの排出データが記憶保存され、処分／受領データ記憶保存手段により該登録票（Ａ）のデータの処分／受領データが記憶保存され、処分／処分データ記憶保存手段により該登録票（Ａ）のデータの処分／処分データが記憶保存された後、続いて、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の引渡し数量（ツ）のＮ番目のデータが該項目票ＦＮの（９）引渡し数量に埋め込まれ、該登録票（Ａ）のデータの廃棄物の引渡し単位（ト）が該項目票ＦＮの（１０）引渡し単位に埋め込まれ、該登録票（Ａ）のデータの荷姿（テ）が該項目票ＦＮの（１１）荷姿に埋め込まれ、該登録票（Ａ）のデータの廃棄物の受入数量（ヌ）のＮ番目のデータが該項目票ＦＮの（２０）受入数量に埋め込まれ、該登録票（Ａ）のデータの受入単位（ネ）が該項目票ＦＮの（２１）受入単位に埋め込まれ、該登録票（Ａ）のデータの処分業者の区分（タ）に記憶保存されているコードが該項目票ＦＮの（２２）中間処分か最終処分の区分に記憶保存され、Ｎ番目の廃棄物分類コードに関する第１Ｂ、第２Ｂ、第４Ｂの電子Ｍ・ＦＡＸ／ＯＣＲ廃棄物処理情報管理項目票ＦＮ（Ｂ１・２・４）が生成され、記憶保存されるＮ番目の廃棄物の項目票ＦＮ（Ｂ１・２・４）記憶保存手段と
項目票Ｆ１（Ｂ３）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに運搬データ記憶保存手段により該登録票（Ａ）のデータの運搬データが記憶保存された後、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の運搬数量（ナ）のＮ番目のデータが該項目票ＦＮの（１４）運搬数量に埋め込まれ、該登録票（Ａ）のデータの運搬単位（ニ）が該項目票ＦＮの（１５）運搬単位に埋め込まれ、Ｎ番目の廃棄物分類コードに関する第３Ｂの電子Ｍ・ＦＡＸ／ＯＣＲ廃棄物処理情報管理項目票ＦＮ（Ｂ３）が生成され、記憶保存されるＮ番目の廃棄物の項目票ＦＮ（Ｂ３）記憶保存手段と
項目票Ｆ１（Ｂ３・４）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに運搬データ記憶保存手段により該登録票（Ａ）のデータの運搬データが記憶保存され、処分／受領データ記憶保存手段により該登録票（Ａ）のデータの処分／受領データが記憶保存され、処分／処分データ記憶保存手段により該登録票（Ａ）のデータの処分／処分データが記憶保存された後、続いて、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の運搬数量（ナ）のＮ番目のデータが該項目票ＦＮの（１４）運搬数量に埋め込まれ、該登録票（Ａ）のデータの運搬単位（ニ）が該項目票ＦＮの（１５）運搬単位に埋め込まれ、該登録票（Ａ）のデータの廃棄物の受入数量（ヌ）のＮ番目のデータが該項目票ＦＮの（２０）受入数量に埋め込まれ、該登録票（Ａ）のデータの受入単位（ネ）が該項目票ＦＮの（２１）受入単位に埋め込まれ、該登録票（Ａ）のデータの処分業者の区分（タ）に記憶保存されているコードが該項目票ＦＮの（２２）中間処分か最終処分の区分に記憶保存され、Ｎ番目の廃棄物分類コードに関する第３Ｂ、第４Ｂの電子Ｍ・ＦＡＸ／ＯＣＲ廃棄物処理情報管理項目票ＦＮ（Ｂ３・４）が生成され、記憶保存されるＮ番目の廃棄物の項目票ＦＮ（Ｂ３・４）記憶保存手段と
項目票Ｆ１（Ｂ４）記憶保存手段により記憶保存された後、複数の廃棄物品目が記載されている登録票の登録に対応すべく、該登録票（Ａ）のデータのＮ番目の廃棄物については、項目票ＦＮ生成記憶保存手段により項目票ＦＮが生成され、記憶保存され、該項目票ＦＮに処分／受領データ記憶保存手段により該登録票（Ａ）のデータの処分／受領データが記憶保存され、処分／処分データ記憶保存手段により該登録票（Ａ）のデータの処分／処分データが記憶保存された後、続いて、該登録票（Ａ）のデータの廃棄物分類コード（チ）のＮ番目のデータが該項目票ＦＮの（８−１）廃棄物分類コードに埋め込まれ、該登録票（Ａ）のデータの廃棄物の受入数量（ヌ）のＮ番目のデータが該項目票ＦＮの（２０）受入数量に埋め込まれ、該登録票（Ａ）のデータの受入単位（ネ）が該項目票ＦＮの（２１）受入単位に埋め込まれ、該登録票（Ａ）のデータの処分業者の区分（タ）に記憶保存されているコードが該項目票ＦＮの（２２）中間処分か最終処分の区分に記憶保存され、Ｎ番目の廃棄物分類コードに関する第４Ｂの電子Ｍ・ＦＡＸ／ＯＣＲ廃棄物処理情報管理項目票ＦＮ（Ｂ４）が生成され、記憶保存されるＮ番目の廃棄物の項目票ＦＮ（Ｂ４）記憶保存手段とを備えた請求項１に関連する情報処理技術
【発明の詳細な説明】
【技術分野】
【０００１】
（財）日本産業廃棄物処理振興センターの電子マニフェスト（以下電子Ｍという）は排出事業者、収集運搬業者、処分業者の加入３者がパソコン等の電子情報の交換に対応した環境が整えられなければ参加が難しいが、本発明は電子Ｍコンピュータと電子Ｍ登録・報告代行業者（以下ＡＳＰという）コンピュータが通信ネットワーク（以下ＮＷという）を介して電子M・EDI版接続仕様により接続されるコンピュ−タＮＷを構築し、電子Ｍ、ＡＳＰ双方の加入者である排出事業者、収集運搬業者、処分業者の各ＦＡＸがＡＳＰにＮＷを介して接続されるＦＡＸ通信網を構築し、ＡＳＰ加入者が産廃の排出、収集、運搬、処分の各過程において電子Ｍ産廃処理依頼ＦＡＸ／ＯＣＲ登録票（以下登録票という）（図 ２）（電子M・EDI版接続仕様は１データ１廃棄物品目登録が条件であり、本発明は複数廃棄物品目が記載できる登録票を使用し、ＡＳＰにより１データ１廃棄物品目に分解した上で電子M・EDI版接続仕様に対応（請求項２））に必要事項を記入、記入した登録票の送信担当Ｂ（ブ）の□に自社の担当コード(排出事業者は１、収集運搬業者は２、処分業者は３）が記載されているＡＳＰ加入者は該登録票の本票を送信する送信会社コード(ア)の□に自社の担当コード（排出事業者は１、収集運搬業者は２、処分業者は３）を記入して、FAXにより該登録票をＦＡＸ通信網を介してＡＳＰコンピュータに送信、ＡＳＰコンピュータが受信した画像情報をコンピュータデータに変換して該データを利用してＡＳＰコンピュータが排出事業者、収集運搬業者、処分業者に代行して電子Ｍコンピュータへの登録・報告を行い、その結果確認を代行して行い、受領したコンピュータデータを画像情報に変換しその結果をFAX通信網を介してＡＳＰ加入各社ＦＡＸに送信する情報処理に関する。
【背景技術】
【０００２】
現在の産廃ＡＳＰのいくつかのケースを記してみると
[1]ＡＳＰコンピュータが大手排出事業者のデータ入力を行い電子Ｍコンピュータへの登録を代行し業者は各々が電子Ｍコンピュータに登録しているケース
[2]ＡＳＰコンピュータが排出事業者と多数の零細収集運搬業者と特定大手処分業者のデータ入力を行い電子Ｍコンピュータへの登録を代行しているケース
[3]ＡＳＰコンピュータがＧＰＳによる廃棄物画像追跡管理システムを運用し廃棄物データの電子Ｍコンピュータへの登録は各社が行っているケース
等があるが不特定多数のＡＳＰ加入の排出事業者、収集運搬業者、処分業者のＦＡＸが送信したデータを利用してＡＳＰコンピュータが排出事業者、収集運搬業者、処分業者の電子Ｍコンピュータへの登録の代行とその登録結果確認を代行して行い加入者のＦＡＸに登録結果を報告するシステムは確認されていない。
【特許文献１】登録実用新案第３０８９５４１号公報
【非特許文献１】（財）日本産業廃棄物処理振興センター・情報処理センター発行のＥＤＩ版電子マニフェストシステム接続仕様書（２００３年８月発行）
【発明の開示】
【発明が解決しようとする課題】
【０００３】
本発明が解決しようとする課題は、加入者のいずれかが電子情報の交換に対応した環境を整えられない場合は電子Ｍ運用が難しいが、ＦＡＸを使った本システムにより加入３者がパソコンが使えなくても電子Ｍに参加できるシステムを提供することにある
【課題を解決するための手段】
【０００４】
請求項１に係る発明においては
先ず、電子ＭコンピュータとＡＳＰコンピュータがＮＷを介して電子M・EDI版接続仕様により接続されるコンピュ−タＮＷを構築し、電子Ｍ、ＡＳＰ双方の加入者である排出事業者、収集運搬業者、処分業者の各ＦＡＸがＡＳＰにＦＡＸ通信網を介して接続される通信網を構築し、ＡＳＰ加入者が産廃の排出、収集、運搬、処分の各過程において記入した登録票の送信担当Ｂ（ブ）の□に自社の担当コード（排出事業者は１、収集運搬業者は２、処分業者は３）が記載されているＡＳＰ加入者は、該登録票の本票を送信する送信会社コード(ア)の□に自社の担当コードを記入して、FAXにより該登録票をＦＡＸ通信網を介してＡＳＰコンピュータに送信する。
【０００５】
次に、受信したＡＳＰコンピュータにより画像情報がコンピュータデータに変換され、1つ目の廃棄物分類コードに関する項目票Ｆ１(Ｂ１・２)記憶保存手段、項目票Ｆ１(Ｂ１・２・３)記憶保存手段、項目票Ｆ１(Ｂ１・２・３・４)記憶保存手段、項目票Ｆ１(Ｂ１・２・４)記憶保存手段、項目票Ｆ１(Ｂ３)記憶保存手段、項目票Ｆ１(Ｂ３・４)記憶保存手段、項目票Ｆ１(Ｂ４)記憶保存手段によりそれぞれの項目票Ｆ１が生成され記憶保存されるように構成し、
【０００６】
請求項２に係る発明においては
１枚の伝票に複数の廃棄物品目が記載されている登録票の電子M・EDI版接続仕様登録に対応すべく、
先ず、複数の廃棄物品目が記載されている登録票の１つ目の廃棄物データ処理が請求項１により終了し、Ｎ番目のデータについては該登録票(A)のデータに記憶保存されている産廃伝票番号(バ)と該登録票(A)のデータの廃棄物分類コード(チ) のＮ番目のデータとが連結され産廃伝票番号・廃棄物分類コード番号 (NO-Ｎ)が生成され、該番号(NO-Ｎ)が、新しい項目票Ｆの１．産廃伝票番号・廃棄物分類コード番号に埋め込まれ、項目票ＦＮが生成され、記憶保存され、
次に、該登録票(A)に記載されているＮ番目の廃棄物物分類コードに関連する処理データが埋め込まれ電子M・FAX/OCR廃棄物処理情報管理項目票ＦＮ（ＢＮ）が生成され、記憶保存されるように構成し、
【０００７】
上記（０００４）〜（０００６）により生成され、記憶保存されたデータを利用して電子M・EDI版接続仕様によりＮＷを介して電子Ｍコンピュータへの加入者の登録・報告が代行して行われ、電子Ｍコンピュータから電子M・EDI版接続仕様によりＮＷを介して登録・報告の結果が代行して受領され、受領されたコンピュータデータが画像情報に変換され、変換された登録・報告の結果がFAX通信網を介してＦＡＸで、ＡＳＰ加入者に送信されるように構成し、
ＡＳＰ加入者のＭ情報照会（通知情報）が代行して行われ、入手されたＭ照会結果情報(通知情報)（運搬終了報告、中間処理終了報告、最終処分終了報告、報告取消に関する通知、確認期限切れ間近に関する通知、確認期限切れに関する通知）が画像情報に変換されＦＡＸ私書箱に保存され、ＡＳＰ加入者は自社の通信費でＦＡＸでＦＡＸ私書箱に接続して自社宛の通知情報が受け取れるように構成すれば良い。
【０００８】
この発明は以下のように変形が可能である。
【０００９】
第１に請求項１に係る発明のＡＳＰコンピュータが行う業務のように、
先ず、登録票データ記憶保存手段によりＢ１、Ｂ２が選択され、Ｂ３、Ｂ４が削除された該登録票(A)のデータ（送信担当Ｂの第１B、第２Bにコード１が第３B、第４Bには１以外のコードが記憶保存されているデータ）については、 項目票Ｆ１(Ｂ１・２)記憶保存手段により該データが埋め込まれ項目票Ｆ１(Ｂ１・２)が記憶保存され、
登録票データ記憶保存手段によりＢ１、Ｂ２、Ｂ３が選択されＢ４が削除された該登録票(A)のデータ（送信担当Ｂの第１B、第２B、第３Bにコード２が第4Ｂには２以外のコードが記憶保存されているデータ）については項目票Ｆ１(Ｂ１・２・３)記憶保存手段により該データが埋め込まれ項目票Ｆ１(Ｂ１・２・３)が記憶保存され、
登録票データ記憶保存手段によりＢ１、Ｂ２、Ｂ３、Ｂ４が選択された該登録票(A)のデータ（送信担当Ｂの第１B、第２B、第３B、第４B全てにコード２又は３が記憶保存されているデータ）については、項目票Ｆ１(Ｂ１・２・３・４)記憶保存手段により該データが埋め込まれ項目票Ｆ１(Ｂ１・２・３・４)が記憶保存され、
登録票データ記憶保存手段によりＢ１、Ｂ２、Ｂ４が選択されＢ３が削除された該登録票(A)のデータ（送信担当Ｂの第１B、第２B、第４Bにコード３が第３Ｂに３以外のコードが記憶保存されているデータ）については項目票Ｆ１(Ｂ１・２・４)記憶保存手段により該データが埋め込まれ項目票Ｆ１(Ｂ１・２・４)が記憶保存され、
登録票データ記憶保存手段によりＢ３が選択されＢ１、Ｂ２、Ｂ４が削除された該登録票(A)のデータ（送信担当Ｂの第３Bにコード２が第1Ｂ、第2Ｂ、第４Ｂに２以外が記憶保存されているデータ）については項目票Ｆ１(Ｂ３)記憶保存手段により該データが埋め込まれ項目票Ｆ１(Ｂ３)が記憶保存され、
登録票データ記憶保存手段によりＢ３、Ｂ４が選択されＢ１、Ｂ２が削除された該登録票(A)のデータ（送信担当Ｂの第３B、第４Bにコード２が第１Ｂ、第２Ｂには２以外が、及び、第３B、第４Bにコード３が第１Ｂ、第２Ｂには３以外が記憶保存されているデータ）については項目票Ｆ１(Ｂ３・４)記憶保存手段により該データが埋め込まれ項目票Ｆ１(Ｂ３・４)が記憶保存され、
登録票データ記憶保存手段によりＢ４が選択されＢ１、Ｂ２、Ｂ３が削除された該登録票(A)のデータ（送信担当Ｂの第４Bにコード３が第１Ｂ、第２Ｂ、第３Ｂには３以外のコードが記憶保存されているデータ）については項目票Ｆ１(Ｂ４)記憶保存手段により該データが埋め込まれ項目票Ｆ１(Ｂ４)が記憶保存されるように構成する。
【００１０】
第２に請求項２に係る発明のように、電子Ｍ・EDI版接続仕様は１データ１廃棄物品目登録が条件であるが、１枚の伝票に複数の廃棄物品目が記載されている登録票の電子Ｍ・EDI版接続仕様登録に対応すべく
先ず、ＡＳＰコンピュータが行う業務の、
登録票データ記憶保存手段によりＢ１、Ｂ２が選択され、Ｂ３、Ｂ４が削除された該登録票(A)のデータ（送信担当Ｂの第１B、第２Bにコード１が第３B、第４Bには１以外のコードが記憶保存されているデータ）については、項目票Ｆ１(Ｂ１・２)記憶保存手段に引き続いて、Ｎ番目の廃棄物の項目票ＦＮ(Ｂ１・２)記憶保存手段により該データが埋め込まれ、項目票ＦＮ(Ｂ１・２)が記憶保存され、
登録票データ記憶保存手段によりＢ１、Ｂ２、Ｂ３が選択されＢ４が削除された該登録票(A)のデータ（送信担当Ｂの第１B、第２B、第３Bにコード２が第4Ｂには２以外のコードが記憶保存されているデータ）については 項目票Ｆ１(Ｂ１・２・３)記憶保存手段に引き続いて、Ｎ番目の廃棄物の項目票ＦＮ(Ｂ１・２・３)記憶保存手段により該データが埋め込まれ、項目票ＦＮ(Ｂ１・２・３)が記憶保存され、
登録票データ記憶保存手段によりＢ１、Ｂ２、Ｂ３、Ｂ４が選択された該登録票(A)のデータ（送信担当Ｂの第１B、第２B、第３B、第４B全てにコード２又は３が記憶保存されているデータ）については、項目票Ｆ１(Ｂ１・２・３・４)記憶保存手段に引き続いて、Ｎ番目の廃棄物の項目票ＦＮ(Ｂ１・２・３・４)記憶保存手段により該データが埋め込まれ、項目票ＦＮ(Ｂ１・２・３・４)が記憶保存され、
登録票データ記憶保存手段によりＢ１、Ｂ２、Ｂ４が選択されＢ３が削除された該登録票(A)のデータ（送信担当Ｂの第１B、第２B、第４Bにコード３が第３Ｂに３以外のコードが記憶保存されているデータ）については、項目票Ｆ１(Ｂ１・２・４)記憶保存手段に引き続いて、Ｎ番目の廃棄物の項目票ＦＮ(Ｂ１・２・４)記憶保存手段により該データが埋め込まれ、項目票ＦＮ(Ｂ１・２・４)が記憶保存され、
登録票データ記憶保存手段によりＢ３が選択されＢ１、Ｂ２、Ｂ４が削除された該登録票(A)のデータ（送信担当Ｂの第３Bにコード２が第1Ｂ、第2Ｂ、第４Ｂに２以外が記憶保存されているデータ）については、項目票Ｆ１(Ｂ３)記憶保存手段に引き続いて、Ｎ番目の廃棄物の項目票ＦＮ(Ｂ３)記憶保存手段により該データが埋め込まれ、項目票ＦＮ(Ｂ３)が記憶保存され、
登録票データ記憶保存手段によりＢ３、Ｂ４が選択されＢ１、Ｂ２が削除された該登録票(A)のデータ（送信担当Ｂの第３B、第４Bにコード２が第１Ｂ、第２Ｂには２以外が、及び、第３B、第４Bにコード３が第１Ｂ、第２Ｂには３以外が記憶保存されているデータ）については 項目票Ｆ１(Ｂ３・４)記憶保存手段に引き続いて、Ｎ番目の廃棄物の項目票ＦＮ(Ｂ３・４) 記憶保存手段により該データが埋め込まれ、項目票ＦＮ(Ｂ３・４)が記憶保存され、
登録票データ記憶保存手段によりＢ４が選択されＢ１、Ｂ２、Ｂ３が削除された該登録票(A)のデータ（送信担当Ｂの第４Bにコード３が第１Ｂ、第２Ｂ、第３Ｂには３以外のコードが記憶保存されているデータ）については項目票Ｆ１(Ｂ４)記憶保存手段に引き続いて、Ｎ番目の廃棄物の項目票ＦＮ(Ｂ４)記憶保存手段により該データが埋め込まれ、項目票ＦＮ(Ｂ４)が記憶保存されるように構成する。
【００１１】
次に、上記（０００９）（００１０）の機能を業者（収集運搬業者、処分業者）のコンピュータにインストールすることにより、ＡＳＰ加入者が登録票をＦＡＸで通信網を介して業者に送信した場合も送信担当Ｂの廃棄物分類コードに関する電子M・FAX/OCR廃棄物処理情報管理項目票Ｆ１（ＢＮ）及び電子M・FAX/OCR廃棄物処理情報管理項目票ＦＮ（ＢＮ）が受信した業者のコンピュータに生成され記憶保存され、該業者のコンピュータから該項目票Ｆ１（ＢＮ）及び該項目票ＦＮ（ＢＮ）をＮＷを介してＡＳＰに送信、受信したＡＳＰが（０００７）に記載されている、（０００４）〜（０００６）により生成され、記憶保存されたデータとして該項目票Ｆ１（ＢＮ）及び該項目票ＦＮ（ＢＮ）を利用し、（０００７）のシステム項目が運用されるように構成すれば良い。   
そして、前記業者が送信Ｂを担当する場合は、自社のコンピュータに必要事項を登録するか、登録票を自社のＦＡＸから自社のコンピュータに送信するように構成すれば良い。
【発明の効果】
【００１２】
電子Ｍは排出事業者と収集運搬業者と処分業者の３者が電子情報の交換に対応した環境を整えなければならないが、本発明はＡＳＰ加入者が登録票をＦＡＸでＡＳＰコンピュータに送信すれば、ＡＳＰコンピュータが排出事業者、収集運搬業者、処分業者に代行して電子Ｍコンピュータに登録・報告を行い、その結果であるＭ照会結果情報をＡＳＰコンピュータが代行入手し、該Ｍ照会結果情報を画像情報に変換しＦＡＸ通信網を介してＦＡＸ送信してくれるのでＡＳＰ加入者は産廃伝票の控とチェックすれば良く、電子Ｍは３者が電子情報の交換に対応した環境を整えなければならないと言う障害がクリアされる。
【発明を実施するための最良の形態】
【００１３】
電子Ｍは排出事業者と収集運搬業者と処分業者の３者が電子情報の交換に対応した環境を整えなければならないが、本発明はＡＳＰ加入者が登録票をＦＡＸでＡＳＰコンピュータに送信すれば、ＡＳＰコンピュータが電子Ｍコンピュータに登録・報告代行し、その結果をＡＳＰコンピュータが代行して入手し、該結果をＡＳＰ加入者にＦＡＸ通信網を介してＦＡＸ送信してくれるので産廃伝票の控とチェックすれば良く、３者が電子情報の交換に対応できなくても電子Ｍに参加できるシステムを実現した。
【実施例１】
【００１４】
ＡＳＰ加入各社が行う業務について
【００１５】
登録票によりＡＳＰにＦＡＸ送信されたデータを利用して、ＡＳＰが加入者に代行して電子Ｍコンピュータへ登録・報告する項目を電子Ｍ・ＦＡＸ／ＯＣＲ廃棄物処理情報管理項目票(図１)（以下項目票という）に記載されている項目をベースとした電子Ｍ管理項目とし、
【００１６】
先ず、排出事業者ＡＳＰ加入者番号(ウ)、排出事業者名称、住所、TELと排出事業場番号(カ)、排出事業場名称、住所、TELと収集運搬業者ＡＳＰ加入者番号(エ)、収集運搬業者名称、住所、TELと処分業者ＡＳＰ加入者番号(オ)、処分業者名称、住所、TELと数量の確定者コード(ク)、送信担当Ｂ(ブ)、中間処分業者の場合は中間処理産業廃棄物登録区分コード１を(ケ)に記入した基礎データが記載された登録票を作成する。（項目の後に（ ）が記されていない項目は登録票として記載は必要であるが本システムとしては管理しない）
【００１７】
次に、収集運搬業者が排出事業場に収集に行き、該登録票に排出担当者は産廃引渡年月日(イ)、排出担当者コード(キ)、廃棄物分類コード(チ)、廃棄物の種類名、引渡し数量(ツ)、引渡し単位コード(ト)、荷姿コード(テ)の排出データを記入（排出担当者は、複数の廃棄物を引渡す場合はそれぞれの廃棄物分類コード(チ)、廃棄物の種類名、引渡し数量(ツ)を記入する）し、運転手は運搬担当者コード(コ)を記入しサインをし、排出担当者のサインをもらった上でコピー（控）を排出事業者に渡す。
【００１８】
受取った該登録票の送信担当Ｂ(ブ)の□に１が記載されている排出事業者（排出事業者の送信担当Ｂについては第１Ｂと第２Ｂを分離せず対で担当するものとし、排出事業者以外に収集運搬業者あるいは処分業者が担当する場合でも同様とする）は該登録票の自社が担当する送信担当Ｂの記載事項をチェックし、該登録票の本票を送信する送信会社コード(ア)の□に１を記入した上で、該登録票をＦＡＸで通信網を介してＡＳＰコンピュータに送信する。
【００１９】
そして、収集運搬業者は収集した産廃に該登録票を携えて処分業者に運搬し、運搬終了年月日(サ)、運搬数量(ナ)、運搬単位コード（ニ）の運搬終了データを該登録票に記入（運搬担当者は、複数の廃棄物を運搬した場合はそれぞれの運搬数量(ナ)を記入する）し産廃を処分業者に渡し、処分業者は該登録票に受入数量(ヌ)、受入単位(ネ)、中間処分か最終処分の区分コード(タ)、処分／受領年月日(ス)を記入（処分／受領担当者は、複数の廃棄物を受領した場合はそれぞれの受入数量(ヌ)を記入する）し処分／受領担当者は処分／受領担当者コード(シ)を記入した上でサイン（受領即、処分の場合は処分終了年月日(ソ)を記入し処分／処分担当者は処分／処分担当者コード(セ)を記入した上でサイン）をし、運転手はコピー（控）を受取り帰社。
【００２０】
運転手が持ち帰った該登録票の送信担当Ｂ(ブ)の□に２が記載されている収集運搬業者は該登録票の自社が担当する送信担当Ｂの記載事項をチェックし、該登録票の本票を送信する送信会社コード(ア)の□に２を記入した上で、該登録票をＦＡＸで通信網を介してＡＳＰコンピュータに送信する。
【００２１】
さらに、該産廃の処分が終了した処分業者は処分／処分担当者が処分／処分担当者コード(セ)を記入した上でサインし、処分終了年月日(ソ)を該登録票に記入し、該登録票の送信担当Ｂ(ブ)の□に３が記載されている処分業者は該登録票の自社が担当する送信担当Ｂの記載事項をチェックし、該登録票の本票を送信する送信会社コード(ア)の□に３を記入した上で、該登録票をＦＡＸで通信網を介してＡＳＰコンピュータに送信するように構成すれば良い。
【００２２】
ＡＳＰコンピュータが行う業務について
【００２３】
排出事業者、収集運搬業者、処分業者の各ＦＡＸからＦＡＸ通信網を介してＡＳＰに送信された登録票データ（画像情報）をコンピュータデータに変換して
【００２４】
登録票データ記憶保存手段によりＢ１、Ｂ２が選択され、Ｂ３、Ｂ４が削除された該登録票(A)のデータ（送信担当Ｂの第１B、第２Bにコード１が第３B、第４Bには１以外のコードが記憶保存されているデータ）については、
先ず、項目票Ｆ１(Ｂ１・２)記憶保存手段により1つ目の廃棄物分類コードに関する第1Ｂ、第2Ｂの電子M・FAX/OCR廃棄物処理情報管理項目票Ｆ１(Ｂ1・2)が生成され、記憶保存され
次にＮ番目の廃棄物の項目票ＦＮ(Ｂ１・２)記憶保存手段によりＮ番目の廃棄物分類コードに関する第1Ｂ、第2Ｂの電子M・FAX/OCR廃棄物処理情報管理項目票ＦＮ(Ｂ１・２)が生成され、記憶保存されるように構成すれば良い。
【００２５】
登録票データ記憶保存手段によりＢ１、Ｂ２、Ｂ３が選択されＢ４が削除された該登録票(A)のデータ（送信担当Ｂの第１B、第２B、第３Bにコード２が第4Ｂには２以外のコードが記憶保存されているデータ）については
先ず、項目票Ｆ１(Ｂ１・２・３)記憶保存手段により、1つ目の廃棄物分類コードに関する第1Ｂ、第2Ｂ、第３Ｂの電子M・FAX/OCR廃棄物処理情報管理項目票Ｆ１(Ｂ1・2・3)が生成され、記憶保存され
次にＮ番目の廃棄物の項目票ＦＮ(Ｂ１・２・３)記憶保存手段によりＮ番目の廃棄物分類コードに関する第1Ｂ、第2Ｂ、第３Ｂの電子M・FAX/OCR廃棄物処理情報管理項目票ＦＮ(Ｂ１・２・３)が生成され、記憶保存されるように構成すれば良い。
【００２６】
登録票データ記憶保存手段によりＢ１、Ｂ２、Ｂ３、Ｂ４が選択された該登録票(A)のデータ（送信担当Ｂの第１B、第２B、第３B、第４B全てにコード２又は３が記憶保存されているデータ）については、
先ず、項目票Ｆ１(Ｂ１・２・３・４)記憶保存手段により1つ目の廃棄物分類コードに関する第1Ｂ、第2Ｂ、第３Ｂ、第４Ｂの電子M・FAX/OCR廃棄物処理情報管理項目票Ｆ１(Ｂ1・2・3・4)が生成され、記憶保存され
次にＮ番目の廃棄物の項目票ＦＮ(Ｂ１・２・３・４)記憶保存手段によりＮ番目の廃棄物分類コードに関する第1Ｂ、第2Ｂ、第３Ｂ、第４Ｂの電子M・FAX/OCR廃棄物処理情報管理項目票ＦＮ(Ｂ１・２・３・４)が生成され、記憶保存されるように構成すれば良い。
【００２７】
登録票データ記憶保存手段によりＢ１、Ｂ２、Ｂ４が選択されＢ３が削除された該登録票(A)のデータ（送信担当Ｂの第１B、第２B、第４Bにコード３が第３Ｂに３以外のコードが記憶保存されているデータ）については
先ず、項目票Ｆ１(Ｂ１・２・４)記憶保存手段により1つ目の廃棄物分類コードに関する第1Ｂ、第2Ｂ、第４Ｂの電子M・FAX/OCR廃棄物処理情報管理項目票Ｆ１(Ｂ1・2・4)が生成され、記憶保存され
次にＮ番目の廃棄物の項目票ＦＮ(Ｂ１・２・４)記憶保存手段によりＮ番目の廃棄物分類コードに関する第1Ｂ、第2Ｂ、第４Ｂの電子M・FAX/OCR廃棄物処理情報管理項目票ＦＮ(Ｂ１・２・４)が生成され、記憶保存されるように構成すれば良い。
【００２８】
登録票データ記憶保存手段によりＢ３が選択されＢ１、Ｂ２、Ｂ４が削除された該登録票(A)のデータ（送信担当Ｂの第３Bにコード２が第1Ｂ、第2Ｂ、第４Ｂに２以外が記憶保存されているデータ）については、
先ず、項目票Ｆ１(Ｂ３)記憶保存手段により1つ目の廃棄物分類コードに関する第３Ｂの電子M・FAX/OCR廃棄物処理情報管理項目票Ｆ１(Ｂ３)が生成され、記憶保存され
次にＮ番目の廃棄物の項目票ＦＮ(Ｂ３)記憶保存手段によりＮ番目の廃棄物分類コードに関する第３Ｂの電子M・FAX/OCR廃棄物処理情報管理項目票ＦＮ(Ｂ３)が生成され、記憶保存されるように構成すれば良い。
【００２９】
登録票データ記憶保存手段によりＢ３、Ｂ４が選択されＢ１、Ｂ２が削除された該登録票(A)のデータ（送信担当Ｂの第３B、第４Bにコード２が第１Ｂ、第２Ｂには２以外が、及び、第３B、第４Bにコード３が第１Ｂ、第２Ｂには３以外が記憶保存されているデータ）については、
先ず、項目票Ｆ１(Ｂ３・４)記憶保存手段により1つ目の廃棄物分類コードに関する第３Ｂ、第４Bの電子M・FAX/OCR廃棄物処理情報管理項目票Ｆ１(Ｂ３・４)が生成され、記憶保存され
次にＮ番目の廃棄物の項目票ＦＮ(Ｂ３・４)記憶保存手段によりＮ番目の廃棄物分類コードに関する第３Ｂ、第４Bの電子M・FAX/OCR廃棄物処理情報管理項目票ＦＮ(Ｂ３・４)が生成され、記憶保存されるように構成すれば良い。
【００３０】
登録票データ記憶保存手段によりＢ４が選択されＢ１、Ｂ２、Ｂ３が削除された該登録票(A)のデータ（送信担当Ｂの第４Bにコード３が第１Ｂ、第２Ｂ、第３Ｂには３以外のコードが記憶保存されているデータ）については
先ず、項目票Ｆ１(Ｂ４)記憶保存手段により1つ目の廃棄物分類コードに関する第４Ｂの電子M・FAX/OCR廃棄物処理情報管理項目票Ｆ１(Ｂ４)が生成され、記憶保存され
次にＮ番目の廃棄物の項目票ＦＮ(Ｂ４)記憶保存手段によりＮ番目の廃棄物分類コードに関する第４Ｂの電子M・FAX/OCR廃棄物処理情報管理項目票ＦＮ(Ｂ４)が生成され、記憶保存されるように構成すれば良い。
なお、該登録票(A)のデータの中で、本票を送信する送信会社コード（ア）の□の送信会社コードが３で、第３Ｂの送信担当Ｂ（ブ）の□の送信担当Ｂコードが３で、かつ、第４Ｂの送信担当Ｂ（ブ）の□の送信担当Ｂコードに２が記憶保存されているデータ（１件の廃棄物処理情報で第３Bの運搬終了情報を処分業者が送信担当し、かつ、第４Ｂの処分終了情報を収集運搬業者が送信担当するケース）及び、本票を送信する送信会社コード（ア）の□の送信会社コードが２で、第４Ｂの送信担当Ｂ（ブ）の□の送信担当Ｂコードが２で、かつ、第３Ｂの送信担当Ｂ（ブ）の□の送信担当Ｂコードに３が記憶保存されているデータ（１件の廃棄物処理情報で第４Ｂの処分終了情報を収集運搬業者が送信担当し、かつ、第３Ｂの運搬終了情報を処分業者が送信担当するケース）は、廃棄物処理の自己管理責任から逸脱しており不法投棄に悪用される事も考えられるので、該登録票(A)のデータのそれぞれの業者のＡＳＰ加入者番号をキーに(図３)ＡＳＰマスターのそれぞれの業者マスターが検索され、業者のＦＡＸ番号が取得され、該登録票(A)のデータが画像情報に変換されＦＡＸで、それぞれの業者にＦＡＸ通信網を介して該データ不備で返信されるように構成すれば良い。
【００３１】
ＡＳＰコンピュータが排出事業者に対して行う業務について
【００３２】
ＡＳＰが排出事業者に代行して電子Mに登録するにあたり、1つ目の廃棄物分類コードに関する電子M・FAX/OCR廃棄物処理情報管理項目票Ｆ１とＮ番目の廃棄物分類コードに関する電子M・FAX/OCR廃棄物処理情報管理項目票ＦＮの中で、
先ず、第１B、第２Bの項目が埋め込まれ、記憶保存されている項目票Ｆ１(Ｂ1・2)、(Ｂ1・2・3)、(Ｂ1・2・3・4)、(Ｂ1・2・4)及び、項目票ＦＮ (Ｂ1・2)、(Ｂ1・2・3)、(Ｂ1・2・3・4)、(Ｂ1・2・4)が項目票Ｆテーブルから検索（除く第１B、第２Bに登録済マークがついている項目票Ｆ）され取得され、
【００３３】
取得された項目票Ｆの(1-1)排出事業者ＡＳＰ加入者番号をキーにＡＳＰ廃棄物処理情報マスター（図３）（以下ＡＳＰマスターという）の１．排出事業者マスターが検索され、１．(1)排出事業者電子Ｍ加入者番号が取得され、取得された該番号が該項目票Ｆの(1-4)排出事業者電子Ｍ加入者番号に記憶保存され、
【００３４】
記憶保存された該排出事業者電子Ｍ加入者番号をキーに、該項目票Ｆの第１B（除く(1-1)排出事業者ＡＳＰ加入者番号、(3-1)収集運搬業者ＡＳＰ加入者番号、(4-1)処分業者ＡＳＰ加入者番号）、第２Bの電子Ｍ排出事業者登録項目がＮＷを介して電子MのＥＤＩ版接続仕様により電子Ｍに登録代行され、
【００３５】
電子Ｍに登録代行するにあたり該項目票Ｆの１．産廃伝票番号・廃棄物分類コード番号が電子Mの連絡番号欄に登録されるように構成し、
【００３６】
次に、登録された該項目票Ｆの２．第１ブロックと３.第２ブロックに登録済マークがつけられ、記憶保存されるように構成し、
【００３７】
そして、電子ＭコンピュータにＮＷを介して電子ＭのＥＤＩ版接続仕様により接続され該排出事業者電子Ｍ加入者番号をキーに、排出事業者のマニフェスト（以下Ｍという）情報照会が代行して行われ、電子ＭコンピュータにＮＷを介して再度接続され、該排出事業者電子Ｍ加入者番号をキーに、電子MのＥＤＩ版接続仕様により該Ｍ情報照会のＭ照会結果情報(排出)が、代行入手され（入手されたＭ照会結果情報(排出)には登録により交付されたマニフェスト番号（以下マ番という）が含まれている）該Ｍ照会結果情報(排出)が記憶保存され、
【００３８】
Ｍ照会結果情報(排出) の連絡番号欄に登録されている産廃伝票番号・廃棄物分類コード番号をキーに項目票Ｆテーブルが検索され、取得された該番号の項目票Ｆの４．電子Ｍ番に、該Ｍ照会結果情報(排出)により入手されたマ番が記憶保存され、
【００３９】
さらに、Ｍ照会結果情報(排出)の排出事業者電子Ｍ加入者番号をキーに(図３)ＡＳＰマスターの１．排出事業者マスターが検索され、該排出事業者の(６)排出事業者ＦＡＸ番号が取得され、該Ｍ照会結果情報(排出)が画像情報に変換されＦＡＸで、該排出事業者にＦＡＸ通信網を介して送信されるように構成すれば良い。
【００４０】
ＡＳＰコンピュータが収集運搬業者に対して行う業務について
【００４１】
ＡＳＰが収集運搬業者に代行して電子Mに報告するにあたり、1つ目の廃棄物分類コードに関する電子M・FAX/OCR廃棄物処理情報管理項目票Ｆ１とＮ番目の廃棄物分類コードに関する電子M・FAX/OCR廃棄物処理情報管理項目票ＦＮの中で、
先ず、項目票Ｆ１(Ｂ３)及び項目票ＦＮ(Ｂ３)に記憶保存されている項目票Ｆの１．産廃伝票番号・廃棄物分類コード番号をキーに 項目票Ｆ１(Ｂ１・２)及び項目票ＦＮ(Ｂ１・２)に記憶保存されている項目票Ｆテーブルが検索され、該番号が一致した項目票Ｆが該番号をキーに統合され、統合項目票Ｆ(Ｂ１・２・３)が生成され、記憶保存され、
【００４２】
項目票Ｆ１(Ｂ３)及び項目票ＦＮ(Ｂ３)に記憶保存されている項目票Ｆの１．産廃伝票番号・廃棄物分類コード番号をキーに項目票Ｆ１(Ｂ1・2・4) 、項目票ＦＮ(Ｂ1・2・4)及び統合項目票Ｆ (Ｂ1・2・4)に記憶保存されている項目票Ｆテーブルが検索され該番号が一致した項目票Ｆが該番号をキーに統合され、統合項目票Ｆ(Ｂ1・2・3・4)が生成され、記憶保存され
【００４３】
項目票Ｆ１(Ｂ3・4)及び項目票ＦＮ(Ｂ3・4)に記憶保存されている項目票Ｆの１．産廃伝票番号・廃棄物分類コード番号をキーに項目票Ｆ１(Ｂ1・2)及び項目票ＦＮ(Ｂ1・2)に記憶保存されている項目票Ｆテーブルが検索され該番号が一致した項目票Ｆが該番号をキーに統合され、統合項目票Ｆ(Ｂ1・2・3・4)が生成され、記憶保存され
【００４４】
次に、項目票Ｆ１、項目票ＦＮ、統合項目票Ｆの(Ｂ1・2・3) (Ｂ1・2・3・4) に記憶保存されている項目票Ｆの４．電子M番号にマ番が記憶保存されている項目票Ｆが（除く第３Ｂに登録済マークがついている項目票Ｆ）項目票Ｆテーブルから検索され、該当する項目票Ｆが取得され、取得された該項目票Ｆの(3-1) 収集運搬業者ＡＳＰ加入者番号をキーに(図３)ＡＳＰマスターの２．収集運搬業者マスターが検索され、２．(1) 収集運搬業者電子Ｍ加入者番号が取得され、取得された該番号が該項目票Ｆの(3-2)収集運搬業者電子Ｍ加入者番号に記憶保存され、
【００４５】
そして、該項目票Ｆの該収集運搬業者電子Ｍ加入者番号を報告コードとして、該項目票Ｆの４・電子Ｍ番に記憶保存されているマ番をキーに該項目票Ｆの第３B（運搬終了情報）の項目がＮＷを介して電子MのEDI版接続仕様により電子Ｍに報告代行され、報告された該項目票Ｆの５．第３ブロックに登録済マークがつけられ記憶保存されるように構成し、
【００４６】
さらに、電子ＭコンピュータにＮＷを介して電子ＭのＥＤＩ版接続仕様により接続され、該収集運搬業者電子Ｍ加入者番号をキーに収集運搬業者のＭ情報照会が代行して行われ
【００４７】
該Ｍ情報照会の結果であるＭ照会結果情報(運搬)が、電子ＭコンピュータにＮＷを介して再度接続され、該収集運搬業者電子Ｍ加入者番号をキーに電子ＭのＥＤＩ版接続仕様により入手され、入手された該Ｍ照会結果情報(運搬)が記憶保存され
【００４８】
該Ｍ照会結果情報(運搬)の収集運搬業者電子Ｍ加入者番号をキーに（図３）ＡＳＰマスターの２．収集運搬業者マスターが検索され、該収集運搬業者の(６)収集運搬業者ＦＡＸ番号が取得され、該Ｍ照会結果情報(運搬)が画像情報に変換されＦＡＸで、該収集運搬業者にＦＡＸ通信網を介して送信されるように構成すれば良い。
【００４９】
ＡＳＰコンピュータが処分業者に対して行う業務について
【００５０】
ＡＳＰが処分業者に代行して電子Mに報告するにあたり、1つ目の廃棄物分類コードに関する電子M・FAX/OCR廃棄物処理情報管理項目票Ｆ１とＮ番目の廃棄物分類コードに関する電子M・FAX/OCR廃棄物処理情報管理項目票ＦＮの中で、
先ず、項目票Ｆ１(Ｂ４)及び項目票ＦＮ(Ｂ４)に記憶保存されている項目票Ｆの１．産廃伝票番号・廃棄物分類コード番号をキーに項目票Ｆ１(Ｂ1・2)及び項目票ＦＮ(Ｂ1・2)に記憶保存されている項目票Ｆテーブルが検索され該番号が一致した項目票Ｆが該番号をキーに統合され、統合項目票Ｆ(Ｂ１・２・４)が生成され、記憶保存され
【００５１】
次に、項目票Ｆ１(Ｂ４)及び項目票ＦＮ(Ｂ４)に記憶保存されている項目票Ｆの１．産廃伝票番号・廃棄物分類コード番号をキーに項目票Ｆ１(Ｂ1・2・3)、項目票ＦＮ(Ｂ1・2・3)及び統合項目票Ｆ(Ｂ1・2・3)に記憶保存されている項目票Ｆテーブルが検索され該番号が一致した項目票Ｆが該番号をキーに統合され、統合項目票Ｆ(Ｂ１・２・３・４)が生成され、記憶保存され
【００５２】
そして、項目票Ｆ１、項目票ＦＮ、統合項目票Ｆの(Ｂ1・2・4)、(Ｂ1・2・3・4)に記憶保存されている項目票Ｆの４．電子M番号にマ番が記憶保存されている項目票Ｆ（除く第４Ｂに登録済マークがついている項目票Ｆ）が項目票Ｆテーブルから検索され、該当する項目票Ｆが取得され、取得された該項目票Ｆの(4-1) 処分業者ＡＳＰ加入者番号をキーに(図３)ＡＳＰマスターの３．処分業者マスターが検索され、３.(1)処分業者電子Ｍ加入者番号が取得され、取得された該番号が該項目票Ｆの(4-2)処分業者電子Ｍ加入者番号に記憶保存され
【００５３】
該項目票Ｆの該処分業者電子Ｍ加入者番号を報告コードとして、該項目票Ｆの４．電子Ｍ番に記憶保存されているマ番をキーに該項目票Ｆの第４B（処分終了情報）の項目がＮＷを介して電子MのEDI版接続仕様により電子Ｍに報告代行され
【００５４】
報告された該項目票Ｆの５．第４ブロックに登録済マークがつけられ記憶保存されるように構成し、
【００５５】
さらに、電子ＭコンピュータにＮＷを介して電子ＭのＥＤＩ版接続仕様により接続され、該処分業者電子Ｍ加入者番号をキーに該処分業者のＭ情報照会が代行して行われ
【００５６】
該Ｍ情報照会の結果であるＭ照会結果情報(処分)が、電子ＭコンピュータにＮＷを介して再度接続され、該処分業者電子Ｍ加入者番号をキーに電子ＭのＥＤＩ版接続仕様により入手され、入手された該Ｍ照会結果情報(処分)が記憶保存され
【００５７】
該Ｍ照会結果情報(処分)の処分業者電子Ｍ加入者番号をキーに(図３)ＡＳＰマスターの３.処分業者マスターが検索され、該処分業者の(６)処分業者ＦＡＸ番号が取得され、該Ｍ照会結果情報(処分)が画像情報に変換されＦＡＸで、該処分業者にＦＡＸ通信網を介して送信されるように構成すれば良い。
【００５８】
ＡＳＰコンピュータが行う業務についてーその２
【００５９】
項目票Ｆの２. 第１ブロック、３.第２ブロック、５.第３ブロック、６.第４ブロックに登録済マークが記憶保存された項目表Ｆが項目票Ｆテーブルから削除されるように構成すれば良い。
【００６０】
＜ＡＳＰコンピュータが行う加入者への通知情報の代行入手と保存と受け取りに関する業務について＞
【００６１】
電子ＭコンピュータにＮＷを介して電子ＭのＥＤＩ版接続仕様により接続されＡＳＰ加入者のＭ情報照会（通知情報）が代行して行われ
【００６２】
Ｍ照会結果情報(通知情報)が電子ＭのＥＤＩ版接続仕様により入手され記憶保存され
【００６３】
加入者の通知情報（運搬終了報告、中間処理終了報告、最終処分終了報告、報告取消に関する通知、確認期限切れ間近に関する通知、確認期限切れに関する通知）が毎週月曜日に前週1週間分のデータが表示され月曜日以降が毎日追記され、毎月月初に前月分のデータが、10月月初は前月分と前期分、４月月初は前月分と前期分と前年分が、画像情報に変換されＦＡＸ私書箱に保存され
【００６４】
加入者は自社の通信費でＦＡＸでＦＡＸ私書箱に接続して自社宛の通知情報が受け取れるように構成すれば良い。
【産業上の利用可能性】
【００６５】
排出事業者と収集運搬業者と処分業者の３者が電子情報の交換に対応した環境が整えられなくてもＦＡＸにより電子Ｍに参加できる。
【図面の簡単な説明】
【００６６】
【図１】電子マニフェストＦＡＸ／ＯＣＲ廃棄物処理情報管理項目票である。
【図２】電子マニフェスト産廃処理依頼FAX/OCR登録票である。
【図３】ＡＳＰ廃棄物処理情報マスターである。
【図４】システム構成図である。
【図１】
2007034622.tif 000003
【図２】
2007034622.tif 000004
【図３】
2007034622.tif 000005
【図４】
2007034622.tif 000006